(57)【要約】      （修正有）【課題】装置の簡素化及び低コスト化を可能とする汚染水の貯蔵装置を提供する。【解決手段】中空形状をなして内部に放射性物質を含んだ汚染水を貯留可能なタンク１１と、タンク１１内の気体を吸引して外部に排出する吸引排気装置１２と、タンク１１から排出される気体から放射性物質を除去する除去装置１３と、タンク１１の内圧と外圧との差圧が予め設定された所定差圧になるとタンク１１の外部の空気を内部に供給可能な空気供給装置１４とを設ける。【選択図】図１
2015184198.tif 000002
【特許請求の範囲】
【請求項１】
中空形状をなして内部に放射性物質を含んだ汚染水を貯留可能なタンクと、
前記タンク内の気体を吸引して外部に排出する吸引排気装置と、
前記タンクから排出される気体から放射性物質を除去する除去装置と、
前記タンクの内圧と外圧との差圧が予め設定された所定差圧になると前記タンクの外部の空気を内部に供給可能な空気供給装置と、
を有することを特徴とする汚染水の貯蔵装置。
【請求項２】
前記空気供給装置は、前記タンクの外部と内部における気相部とを連通する空気供給通路と、前記空気供給通路に設けられるインリーク弁とを有することを特徴とする請求項１に記載の汚染水の貯蔵装置。
【請求項３】
前記吸引排気装置は、前記タンクの外部と内部における気相部とを連通する気体排出通路と、前記気体排出通路に設けられるポンプと、前記タンク内の水素濃度を検出する水素濃度センサと、前記水素濃度センサの検出結果に基づいて前記ポンプを駆動制御する制御装置とを有することを特徴とする請求項１または請求項２に記載の汚染水の貯蔵装置。
【請求項４】
汚染水は、スラッジを含んでおり、前記タンクの内部における底部方向に向けてガスを噴出可能なガス噴射装置と、前記タンクの内部に貯留される汚染水を冷却する冷却装置が設けられることを特徴とする請求項１から請求項３のいずれか一項に記載の汚染水の貯蔵装置。
【請求項５】
前記タンクは、隔壁により閉塞された空間内に配置され、前記吸引排気装置は、前記タンク内の気体を吸引して前記除去装置により放射性物質を除去したあとに前記空間の外部に排出する一方、前記空気供給装置は、前記タンクの内圧と前記空間の圧力との差圧が所定差圧になると前記空間の空気を前記タンク内に供給することを特徴とする請求項１から請求項４のいずれか一項に記載の汚染水の貯蔵装置。
【請求項６】
前記空気供給装置は、前記タンクの外部と内部における気相部とを連通する空気供給通路と、前記空気供給通路に設けられる抵抗部とを有することを特徴とする請求項１に記載の汚染水の貯蔵装置。
【請求項７】
前記空気供給装置は、前記タンクの外部と内部における液相部とを連通する空気供給通路を有することを特徴とする請求項１に記載の汚染水の貯蔵装置。
【発明の詳細な説明】
【技術分野】
【０００１】
本発明は、放射性物質を含んだ汚染水を貯蔵するための汚染水の貯蔵装置に関するものである。
【背景技術】
【０００２】
例えば、原子力発電プラントで事故が発生した場合、放射性物質を含んだ汚染水が発生する。発生した汚染水は、貯蔵タンクに一時的に貯蔵し、処理装置を用いて順次汚染水から放射性物質を除去し、除去した放射性物質は貯蔵容器に貯蔵される一方、放射性物質が除去された処理水は河川などに放出される。
【０００３】
汚染水は、放射性物質としてのトリチウムやセシウムなどを含んでおり、貯蔵タンクからの放射性物質の漏洩を防止するために、貯蔵タンク内を負圧に維持するのが一般的である。また、貯蔵タンクに貯蔵された汚染水から水素が発生するため、この水素を定期的に掃気する必要がある。そのため、従来は、貯蔵タンク内を負圧状態に維持し、内部に所定量の空気を供給する一方、内部から同量の水素を含んだ空気を排出するようにしている。なお、汚染水の貯蔵装置としては、例えば、下記特許文献１に記載されたものがある。
【先行技術文献】
【特許文献】
【０００４】
【特許文献１】特開昭６３−０３２３９８号公報
【発明の概要】
【発明が解決しようとする課題】
【０００５】
従来の汚染水の貯蔵装置にあっては、貯蔵タンク内に所定量の空気を供給する一方、内部から同量の水素を含んだ空気を排出することで、貯蔵タンク内を負圧状態に維持して安全性を確保している。ところが、従来の汚染水の貯蔵装置では、貯蔵タンク内に空気を供給するための空気供給装置が必要になると共に、貯蔵タンク内の空気を排出するための空気排出装置が必要になり、設備コストが増加してしまうという問題がある。
【０００６】
本発明は、上述した課題を解決するものであり、装置の簡素化及び低コスト化を可能とする汚染水の貯蔵装置を提供することを目的とする。
【課題を解決するための手段】
【０００７】
上記の目的を達成するための本発明の汚染水の貯蔵装置は、中空形状をなして内部に放射性物質を含んだ汚染水を貯留可能なタンクと、前記タンク内の気体を吸引して外部に排出する吸引排気装置と、前記タンクから排出される気体から放射性物質を除去する除去装置と、前記タンクの内圧と外圧との差圧が予め設定された所定差圧になると前記タンクの外部の空気を内部に供給可能な空気供給装置と、を有することを特徴とするものである。
【０００８】
従って、タンクは、放射性物質を含んだ汚染水を貯留可能であり、吸引排気装置がタンク内の気体を吸引して外部に排出し、除去装置がタンクから排出される気体から放射性物質を除去しており、空気供給装置は、タンクの内圧と外圧との差圧が所定差圧になるとタンクの外部の空気を内部に供給する。そのため、タンクの内部で発生した水素は、吸引排気装置により排出されることで、タンク内の水素濃度が高くなることはなく、また、タンクの内圧と外圧との差圧が所定差圧になるとタンク内に空気が供給されることで、タンク内の負圧が維持される。そして、空気供給装置が駆動装置を有しないことから、装置の簡素化及び低コスト化することができる。
【０００９】
本発明の汚染水の貯蔵装置では、前記空気供給装置は、前記タンクの外部と内部における気相部とを連通する空気供給通路と、前記空気供給通路に設けられるインリーク弁とを有することを特徴としている。
【００１０】
従って、空気供給装置として、空気供給通路にインリーク弁を設けることで、装置の簡素化及び低コスト化を図ることができる。
【００１１】
本発明の汚染水の貯蔵装置では、前記吸引排気装置は、前記タンクの外部と内部における気相部とを連通する気体排出通路と、前記気体排出通路に設けられるポンプと、前記タンク内の水素濃度を検出する水素濃度センサと、前記水素濃度センサの検出結果に基づいて前記ポンプを駆動制御する制御装置とを有することを特徴としている。
【００１２】
従って、水素濃度センサがタンク内の水素濃度を検出すると、制御装置が水素濃度センサの検出結果に基づいてポンプを駆動制御する。即ち、タンク内の水素濃度が高くなると、ポンプを駆動してタンク内の気体を気体排出通路から外部に排出するため、タンク内で水素濃度が高くなることはなく、安全性を向上することができる。
【００１３】
本発明の汚染水の貯蔵装置では、汚染水は、スラッジを含んでおり、前記タンクの内部における底部方向に向けてガスを噴出可能なガス噴射装置と、前記タンクの内部に貯留される汚染水を冷却する冷却装置が設けられることを特徴としている。
【００１４】
従って、汚染水がスラッジを含んでいた場合、ガス噴射装置がタンクの内部における底部方向に向けてガスを噴出することでスラッジを撹拌し、冷却装置により汚染水を冷却するため、スラッジの固着を防止して安全性を向上することができる。
【００１５】
本発明の汚染水の貯蔵装置では、前記タンクは、隔壁により閉塞された空間内に配置され、前記吸引排気装置は、前記タンク内の気体を吸引して前記除去装置により放射性物質を除去したあとに前記空間の外部に排出する一方、前記空気供給装置は、前記タンクの内圧と前記空間の圧力との差圧が所定差圧になると前記空間の空気を前記タンク内に供給することを特徴としている。
【００１６】
従って、タンクが空間内に配置され、吸引排気装置がタンク内の気体を吸引して放射性物質を除去したあとに空間の外部に排出する一方、空気供給装置がタンクの内圧と空間の圧力との差圧が所定差圧になると空間の空気をタンク内に供給することで、外部への放射性物質の漏洩を防止して安全性を向上することができる。
【００１７】
本発明の汚染水の貯蔵装置では、前記空気供給装置は、前記タンクの外部と内部における気相部とを連通する空気供給通路と、前記空気供給通路に設けられる抵抗部とを有することを特徴としている。
【００１８】
従って、空気供給通路に抵抗部が設けられているため、タンクの内圧と外圧との差圧が所定差圧になると、タンクの外部の空気が抵抗部を抗してタンクの内部に供給されることとなり、構成を簡略化することができる。
【００１９】
本発明の汚染水の貯蔵装置では、前記空気供給装置は、前記タンクの外部と内部における液相部とを連通する空気供給通路を有することを特徴としている。
【００２０】
従って、空気供給装置を構成する空気供給通路がタンクの外部と内部における液相部とを連通するため、タンク内の汚染水が抵抗部となり、タンクの内圧と外圧との差圧が所定差圧になると、タンクの外部の空気が液相部を通してタンクの内部に供給されることとなり、構成を簡略化することができる。
【発明の効果】
【００２１】
本発明の汚染水の貯蔵装置によれば、タンク内の気体を吸引して外部に排出する吸引排気装置と、タンクの内圧と外圧との差圧が予め設定された所定差圧になるとタンクの外部の空気を内部に供給可能な空気供給装置とを設けるので、タンクの内部で発生した水素が排出されることで水素濃度が高くなることはなく、また、タンク内に空気が供給されることでタンク内の負圧が維持されることとなり、空気供給装置が駆動装置を有しないことから、装置の簡素化及び低コスト化することができる。
【図面の簡単な説明】
【００２２】
【図１】図１は、第１実施形態の汚染水の貯蔵装置を表す概略図である。
【図２】図２は、第２実施形態の汚染水の貯蔵装置を表す概略図である。
【図３】図３は、第３実施形態の汚染水の貯蔵装置を表す概略図である。
【図４】図４は、汚染水の貯蔵装置の作用を表す概略図である。
【図５】図５は、第４実施形態の汚染水の貯蔵装置を表す概略図である。
【図６】図６は、汚染水の貯蔵装置の作用を表す概略図である。
【図７】図７は、第５実施形態の汚染水の貯蔵装置を表す概略図である。
【発明を実施するための形態】
【００２３】
以下に添付図面を参照して、本発明の汚染水の貯蔵装置の好適な実施形態を詳細に説明する。なお、この実施形態により本発明が限定されるものではなく、また、実施形態が複数ある場合には、各実施形態を組み合わせて構成するものも含むものである。
【００２４】
［第１実施形態］
図１は、第１実施形態の汚染水の貯蔵装置を表す概略図である。
【００２５】
第１実施形態の汚染水の貯蔵装置は、図１に示すように、タンク１１と、吸引排気装置１２と、除去装置１３と、空気供給装置１４とを有している。
【００２６】
タンク１１は、中空形状をなして所定の大きさを有して内部に放射性物質を含んだ汚染水を貯留可能となっており、タンク１１内に汚染水が貯留されたとき、汚染水が貯留される液相部１１ａと、上方の気相部１１ｂが形成される。吸引排気装置１２は、タンク１１内の空気（気体）を吸引して外部に排出するものである。この吸引排気装置１２は、タンク１１の外部と内部における気相部１１ｂとを連通する気体排出通路２１と、この気体排出通路２１に設けられるポンプ２２とを有している。除去装置１３は、気体排出通路２１におけるポンプ２２よりタンク１１側に設けられており、タンク１１から排出される空気から放射性物質を除去するフィルタ２３である。
【００２７】
空気供給装置１４は、タンク１１の内圧と外圧との差圧が予め設定された所定差圧になるとタンク１１の外部の空気を内部に供給可能なものである。この空気供給装置１４は、タンク１１の外部と内部における気相部１１ｂとを連通する空気供給通路２４と、空気供給通路２４に設けられるインリーク弁２５とを有している。ここで、タンク１１は、内部に放射性物質を含んだ汚染水を貯留することから、放射性物質の外部への漏洩を阻止するために内部を負圧状態に維持する必要があり、タンク１１内の規定圧力（負圧）が設定されている。所定差圧とは、タンク１１内の規定圧力（負圧）に応じて設定される。そのため、インリーク弁２５は、通常、閉止しており、タンク１１の内圧（負圧）と外圧（大気圧）との差圧が所定差圧を超えると開放し、外部の空気が空気供給通路２４及びインリーク弁２５を通ってタンク１１の内部に供給される。
【００２８】
また、吸引排気装置１２は、タンク１１内の水素濃度を検出する水素濃度センサ２６と、水素濃度センサ２６の検出結果に基づいてポンプ２２を駆動制御する制御装置２７とを有している。水素濃度センサ２６は、気体排出通路２１に設けられており、タンク１１内の空気における水素の濃度を検出する。制御装置２７は、この水素濃度センサ２６が検出したタンク１１内の空気における水素の濃度に応じてポンプ２２を駆動制御する。具体的に、制御装置２７は、タンク１１内の水素濃度が予め設定された判定値より高いときに、ポンプ２２を駆動する。ここで、判定値とは、タンク１１内で水素に引火して爆発しない水素濃度である。また、制御装置２７は、タンク１１内の水素濃度が高くなるほど、ポンプ２２の回転数を高く、つまり、吸引力を高くする。
【００２９】
そのため、タンク１１は、放射性物質を含んだ汚染水を貯留しており、吸引排気装置１２は、ポンプ２２が駆動することで、気体排出通路２１によりタンク１１内の空気を吸引して外部に排出しており、このとき、除去装置１３のフィルタ２３が気体排出通路２１を流れる空気から放射性物質を除去する。そして、吸引排気装置１２がタンク１１内の空気を吸引して外部に排出することから、タンク１１内の圧力が負圧となる。空気供給装置１４は、タンク１１の内圧と外圧との差圧が所定差圧になると、インリーク弁２５が開放され、外部の空気が空気供給通路２４を通ってタンク１１の内部に供給される。
【００３０】
その結果、タンク１１は、吸引排気装置１２により内部の気体が外部に排出されるため、タンク１１内の水素濃度が高くなることはなく、タンク１１の安全性が確保される。また、タンク１１は、空気供給装置１４により内部が負圧状態に維持されるため、外部への放射性物質漏洩が阻止されることとなり、この点でもタンク１１の安全性が確保される。
【００３１】
このように第１実施形態の汚染水の貯蔵装置にあっては、中空形状をなして内部に放射性物質を含んだ汚染水を貯留可能なタンク１１と、タンク１１内の気体を吸引して外部に排出する吸引排気装置１２と、タンク１１から排出される気体から放射性物質を除去する除去装置１３と、タンク１１の内圧と外圧との差圧が予め設定された所定差圧になるとタンク１１の外部の空気を内部に供給可能な空気供給装置１４とを設けている。
【００３２】
従って、タンク１１は、放射性物質を含んだ汚染水を貯留可能であり、吸引排気装置１２がタンク１１内の気体を吸引して外部に排出し、除去装置１３がタンク１１から排出される気体から放射性物質を除去しており、空気供給装置１４は、タンク１１の内圧と外圧との差圧が所定差圧になるとタンク１１の外部の空気を内部に供給する。そのため、タンク１１の内部で発生した水素は、吸引排気装置１２により排出されることで、タンク１１内の水素濃度が高くなることはなく、また、タンク１１の内圧と外圧との差圧が所定差圧になるとタンク１１内に空気が供給されることで、タンク１１内の負圧が維持される。そして、空気供給装置１４が駆動装置を有しないことから、装置の簡素化及び低コスト化することができる。
【００３３】
第１実施形態の汚染水の貯蔵装置では、空気供給装置１４として、タンク１１の外部と内部における気相部１１ｂとを連通する空気供給通路２４と、空気供給通路２４に設けられるインリーク弁２５を設けている。従って、空気供給装置１４として、空気供給通路２４にインリーク弁２５を設けることで、装置の簡素化及び低コスト化を図ることができる。
【００３４】
第１実施形態の汚染水の貯蔵装置では、吸引排気装置１２は、タンク１１の外部と内部における気相部１１ｂとを連通する気体排出通路２１と、気体排出通路２１に設けられるポンプ２２と、タンク１１内の水素濃度を検出する水素濃度センサ２６と、水素濃度センサ２６の検出結果に基づいてポンプ２２を駆動制御する制御装置２７とを設けている。従って、水素濃度センサ２６がタンク１１内の水素濃度を検出すると、制御装置２７が水素濃度センサ２６の検出結果に基づいてポンプ２２を駆動制御する。即ち、タンク１１内の水素濃度が高くなると、ポンプ２２を駆動してタンク１１内の気体を気体排出通路２１から外部に排出するため、タンク１１内で水素濃度が高くなることはなく、安全性を向上することができる。
【００３５】
［第２実施形態］
図２は、第２実施形態の汚染水の貯蔵装置を表す概略図である。
【００３６】
第２実施形態の汚染水の貯蔵装置は、図２に示すように、タンク３１と、吸引排気装置３２と、除去装置３３と、空気供給装置３４とを有している。
【００３７】
タンク３１は、中空形状をなして所定の大きさを有して内部に放射性物質を含んだ汚染水を貯留可能となっており、タンク３１内に汚染水が貯留されたとき、汚染水が貯留される液相部３１ａと、上方の気相部３１ｂが形成される。また、この汚染水は、スラッジＳを含んでおり、底部に沈殿しやすい。このタンク３１は、外周辺が隔壁により閉塞された貯蔵室５１の空間Ｒ内に配置されている。
【００３８】
吸引排気装置３２は、タンク３１内の空気（気体）を吸引して貯蔵室５１の外部に排出するものである。この吸引排気装置３２は、貯蔵室５１の外部とタンク３１の内部における気相部３１ｂとを連通する気体排出通路４１と、この気体排出通路４１に設けられるポンプ４２とを有している。除去装置３３は、気体排出通路４１におけるポンプ４２よりタンク３１側に設けられており、タンク３１から排出される空気から放射性物質を除去するフィルタ４３である。
【００３９】
空気供給装置３４は、タンク３１の内圧と外圧（貯蔵室５１の空間Ｒの圧力）との差圧が予め設定された所定差圧になるとタンク３１の外部の空気を内部に供給可能なものである。この空気供給装置３４は、タンク３１の外部と内部における気相部３１ｂとを連通する空気供給通路４４と、空気供給通路４４に設けられるインリーク弁４５とを有している。インリーク弁４５は、通常、閉止しており、タンク３１の内圧（負圧）と貯蔵室５１の空間Ｒの圧力（大気圧）との差圧が所定差圧を超えると開放し、貯蔵室５１の空間Ｒの空気が空気供給通路４４及びインリーク弁４５を通ってタンク３１の内部に供給される。
【００４０】
また、本実施形態のタンク３１は、発生した粉体などのスラッジＳを水と一緒に一時的に貯留し、必要に応じて排出して処理するものである。このようなスラッジＳを貯蔵するタンク３１は、汚染水を長期間貯留すると、水に対してスラッジＳが沈降して固着してしまうことから、タンクの内部を攪拌して流動性を確保する必要がある。
【００４１】
タンク３１は、内部における底部方向に向けてガスを噴出可能なガス噴射装置５２と、内部に貯留される汚染水を冷却する冷却装置５３が設けられている。ガス噴射装置５２は、空気圧縮機６１と、圧縮空気供給通路６２と、多数の噴射ノズル６３とを有している。空気圧縮機６１は、貯蔵室５１の外部に配置されている。圧縮空気供給通路６２は、基端部が空気圧縮機６１に連結され、先端部が貯蔵室５１を貫通してタンク３１内に延出され、底部に沿った水平部に多数の噴射ノズル６３が下向きに設けられている。
【００４２】
冷却装置５３は、ポンプ６４と、冷却水循環通路６５と、冷凍機６６と、冷却塔６７とを有している。ポンプ６４は、貯蔵室５１の外部に配置されている。冷却水循環通路６５は、基端部がポンプ６４の送水口に連結され、貯蔵室５１を貫通してタンク３１内に延出され、底部に沿って配置されてから、先端部がタンク３１外に引き出され、貯蔵室５１を貫通してポンプ６４の取水口に連結されている。冷凍機６６は、貯蔵室５１の外部に配置され、冷却水循環通路６５における送水側と取水側で熱交換を行うものである。冷却塔６７は、貯蔵室５１の外部に配置され、冷却水循環通路６５を流れる冷却水を冷却するものである。
【００４３】
また、貯蔵室５１は、タンク３１の下方にドリップトレイ５４が設けられており、タンク３１からの漏洩水を受け止めることができる。また、貯蔵室５１は、吸気通路５５と排気通路５６が設けられており、排気通路５６は、ポンプ５７とフィルタ５８が設けられている。更に、タンク３１は、図示しないが、スラッジを含む汚染水を内部に供給する汚染水供給通路と、スラッジを含む汚染水を外部に排出する汚染水排出通路が設けられている。
【００４４】
そのため、タンク３１は、放射性物質とスラッジＳを含んだ汚染水を貯留しており、吸引排気装置３２は、ポンプ４２が駆動することで、気体排出通路４１によりタンク３１内の空気を吸引して貯蔵室５１の外部に排出しており、このとき、除去装置３３のフィルタ４３が気体排出通路４１を流れる空気から放射性物質を除去する。そして、吸引排気装置３２がタンク３１内の空気を吸引して貯蔵室５１の外部に排出することから、タンク３１内の圧力が負圧となる。空気供給装置３４は、タンク３１の内圧と貯蔵室５１の空間Ｒの圧力の差圧が所定差圧になると、インリーク弁４５が開放され、空間Ｒの空気が空気供給通路４４を通ってタンク３１の内部に供給される。
【００４５】
その結果、タンク３１は、吸引排気装置３２により内部の気体が外部に排出されるため、タンク３１内の水素濃度が高くなることはなく、タンク３１の安全性が確保される。また、タンク３１は、空気供給装置３４により内部が負圧状態に維持されるため、外部への放射性物質漏洩が阻止されることとなり、この点でもタンク３１の安全性が確保される。
【００４６】
このように第２実施形態の汚染水の貯蔵装置にあっては、汚染水はスラッジＳを含んでおり、タンク３１の内部における底部方向に向けてガスを噴出可能なガス噴射装置５２と、タンク３１の内部に貯留される汚染水を冷却する冷却装置５３を設けている。
【００４７】
従って、汚染水がスラッジＳを含んでいた場合、ガス噴射装置５２がタンク３１の内部における底部方向に向けてガスを噴出することでスラッジＳを撹拌し、冷却装置５３により汚染水を冷却するため、スラッジＳの固着を防止して安全性を向上することができる。
【００４８】
第２実施形態の汚染水の貯蔵装置では、タンク３１は、隔壁により閉塞された貯蔵室５１の空間Ｒ内に配置され、吸引排気装置３２は、タンク３１内の気体を吸引して除去装置３３により放射性物質を除去したあとに空間Ｒの外部に排出する一方、空気供給装置３４は、タンク３１の内圧と空間Ｒの圧力との差圧が所定差圧になると空間Ｒの空気をタンク３１内に供給している。従って、タンク３１が空間Ｒ内に配置され、吸引排気装置３２がタンク３１内の気体を吸引して放射性物質を除去したあとに空間Ｒの外部に排出する一方、空気供給装置３４がタンク３１の内圧と空間Ｒの圧力との差圧が所定差圧になると空間Ｒの空気をタンク３１内に供給することで、外部への放射性物質の漏洩を防止して安全性を向上することができる。
【００４９】
［第３実施形態］
図３は、第３実施形態の汚染水の貯蔵装置を表す概略図、図４は、汚染水の貯蔵装置の作用を表す概略図である。なお、上述した実施形態と同様の機能を有する部材には、同一の符号を付して詳細な説明は省略する。
【００５０】
第３実施形態の汚染水の貯蔵装置は、図３に示すように、タンク１１と、吸引排気装置１２と、除去装置１３と、空気供給装置７１とを有している。ここで、タンク１１と吸引排気装置１２と除去装置１３は、第１実施形態で説明したものと同様であることから説明は省略する。
【００５１】
空気供給装置７１は、タンク１１の内圧と外圧との差圧が予め設定された所定差圧になるとタンク１１の外部の空気を内部に供給可能なものである。この空気供給装置７１は、空気ポット７２と、基端部が空気ポット７２に連結されて先端部がタンク１１の内部における気相部１１ｂに連通する空気供給通路７３と、空気供給通路７３に設けられるＵ字部７４とを有している。空気ポット７２は、所定量の空間部を有し、外部に開口している。Ｕ字部７４は、空気供給通路７３の中途部に設けられており、抵抗部として機能するために適量の液体（油や水など）が充填されている。Ｕ字部７４は、通常、閉止しており、タンク１１の内圧（負圧）と外圧（大気圧）との差圧が所定差圧を超えると開放し、空気ポット７２の空気が空気供給通路７３及びＵ字部７４の液体を気泡として通過し、タンク１１の内部に供給される。
【００５２】
そのため、図４に示すように、タンク１１は、放射性物質を含んだ汚染水を貯留しており、吸引排気装置１２は、ポンプ２２が駆動することで、気体排出通路２１によりタンク１１内の空気を吸引して外部に排出しており、このとき、除去装置１３のフィルタ２３が気体排出通路２１を流れる空気から放射性物質を除去する。そして、吸引排気装置１２がタンク１１内の空気を吸引して外部に排出することから、タンク１１内の圧力が負圧となる。空気供給装置７１は、タンク１１の内圧と外圧との差圧が所定差圧になると、空気ポット７２の空気が空気供給通路７３及びＵ字部７４の液体を気泡として通過してタンク１１の内部に供給される。
【００５３】
その結果、タンク１１は、吸引排気装置１２により内部の気体が外部に排出されるため、タンク１１内の水素濃度が高くなることはなく、タンク１１の安全性が確保される。また、タンク１１は、空気供給装置７１により内部が負圧状態に維持されるため、外部への放射性物質漏洩が阻止されることとなり、この点でもタンク１１の安全性が確保される。
【００５４】
このように第３実施形態の汚染水の貯蔵装置にあっては、空気供給装置７１として、タンク１１の外部と内部における気相部１１ｂとを連通する空気供給通路７３と、空気供給通路７３に設けられる抵抗部としてのＵ字部７４を設け、このＵ字部７４に適量の液体が充填されている。
【００５５】
従って、空気供給通路７３に液体が充填されたＵ字部７４が設けられているため、タンク１１の内圧と外圧との差圧が所定差圧になると、タンク１１の外部の空気が空気供給通路７３及びＵ字部７４の液体を気泡として通過してタンク１１の内部に供給されることとなり、構成を簡略化することができる。
【００５６】
［第４実施形態］
図５は、第４実施形態の汚染水の貯蔵装置を表す概略図、図６は、汚染水の貯蔵装置の作用を表す概略図である。なお、上述した実施形態と同様の機能を有する部材には、同一の符号を付して詳細な説明は省略する。
【００５７】
第４実施形態の汚染水の貯蔵装置は、図５に示すように、タンク１１と、吸引排気装置１２と、除去装置１３と、空気供給装置８１とを有している。ここで、タンク１１と吸引排気装置１２と除去装置１３は、第１実施形態で説明したものと同様であることから説明は省略する。
【００５８】
空気供給装置８１は、タンク１１の内圧と外圧との差圧が予め設定された所定差圧になるとタンク１１の外部の空気を内部に供給可能なものである。この空気供給装置８１は、基端部が外部に開口して先端部がタンク１１の底部における液相部１１ａに連通する空気供給通路８２と、空気供給通路８２におけるタンク１１との連接部に設けられる抵抗部としての絞り部（例えば、オリフィス）８３が設けられている。なお、この絞り部８３は、汚染水に浸漬されている。
【００５９】
そのため、図６に示すように、タンク１１は、放射性物質を含んだ汚染水を貯留しており、吸引排気装置１２は、ポンプ２２が駆動することで、気体排出通路２１によりタンク１１内の空気を吸引して外部に排出しており、このとき、除去装置１３のフィルタ２３が気体排出通路２１を流れる空気から放射性物質を除去する。そして、吸引排気装置１２がタンク１１内の空気を吸引して外部に排出することから、タンク１１内の圧力が負圧となる。空気供給装置８１は、タンク１１の内圧と外圧との差圧が所定差圧になると、外部の空気が空気供給通路８２を通過し、絞り部８３を高流速で流出するため、安定してタンク１１の内部に空気が供給される。
【００６０】
その結果、タンク１１は、吸引排気装置１２により内部の気体が外部に排出されるため、タンク１１内の水素濃度が高くなることはなく、タンク１１の安全性が確保される。また、タンク１１は、空気供給装置８１により内部が負圧状態に維持されるため、外部への放射性物質漏洩が阻止されることとなり、この点でもタンク１１の安全性が確保される。
【００６１】
このように第４実施形態の汚染水の貯蔵装置にあっては、空気供給装置８１として、タンク１１の外部と内部における液相部１１ａとを連通する空気供給通路８２と、空気供給通路８２に設けられる抵抗部としての絞り部８３を設けている。
【００６２】
従って、空気供給通路８２に水が充填された絞り部８３が設けられているため、タンク１１の内圧と外圧との差圧が所定差圧になると、タンク１１の外部の空気が空気供給通路８２を通過し、絞り部８３を高流速で流出するため、安定してタンク１１の内部に供給されることとなり、構成を簡略化することができる。
【００６３】
［第５実施形態］
図７は、第５実施形態の汚染水の貯蔵装置を表す概略図である。なお、上述した実施形態と同様の機能を有する部材には、同一の符号を付して詳細な説明は省略する。
【００６４】
第５実施形態の汚染水の貯蔵装置は、図７に示すように、タンク１１と、吸引排気装置１２と、除去装置１３と、空気供給装置９１とを有している。ここで、タンク１１と吸引排気装置１２と除去装置１３は、第１実施形態で説明したものと同様であることから説明は省略する。
【００６５】
空気供給装置９１は、タンク１１の内圧と外圧との差圧が予め設定された所定差圧になるとタンク１１の外部の空気を内部に供給可能なものである。この空気供給装置９１は、空気ポット９２と、基端部が空気ポット９２に連結されて先端部がタンク１１の上部から内部における気相部１１ｂを通って液相部１１ａに連通する空気供給通路９３とを有している。空気ポット９２は、所定量の空間部を有し、外部に開口している。
【００６６】
そのため、タンク１１は、放射性物質を含んだ汚染水を貯留しており、吸引排気装置１２は、ポンプ２２が駆動することで、気体排出通路２１によりタンク１１内の空気を吸引して外部に排出しており、このとき、除去装置１３のフィルタ２３が気体排出通路２１を流れる空気から放射性物質を除去する。そして、吸引排気装置１２がタンク１１内の空気を吸引して外部に排出することから、タンク１１内の圧力が負圧となる。空気供給装置９１は、タンク１１の内圧と外圧との差圧が所定差圧になると、空気ポット９２の空気が空気供給通路９３を通ってタンク１１の液相部１１ａに気泡として供給される。
【００６７】
その結果、タンク１１は、吸引排気装置１２により内部の気体が外部に排出されるため、タンク１１内の水素濃度が高くなることはなく、タンク１１の安全性が確保される。また、タンク１１は、空気供給装置９１により内部が負圧状態に維持されるため、外部への放射性物質漏洩が阻止されることとなり、この点でもタンク１１の安全性が確保される。
【００６８】
このように第５実施形態の汚染水の貯蔵装置にあっては、空気供給装置９１として、空気ポット９２とタンク１１の内部における液相部１１ａとを連通する空気供給通路９３を設けている。
【００６９】
従って、空気供給通路９３の先端部がタンク１１の液相部１１ａに連通するため、タンク１１の内圧と外圧との差圧が所定差圧になると、タンク１１の外部の空気が空気供給通路９３からを気泡としてタンク１１の内部に供給されることとなり、構成を簡略化することができる。
【００７０】
なお、上述した実施形態にて、タンク、吸引排気装置、除去装置、空気供給装置の形状は、各実施形態に限定されるものではなく、適宜設定すればよいものである。
【符号の説明】
【００７１】
１１，３１  タンク
１１ａ  液相部
１１ｂ  気相部
１２，３２  吸引排気装置
１３，３３  除去装置
１４，３４，７１，８１，９１  空気供給装置
２１，４１  気体排出通路
２２，４２  ポンプ
２３，４３  フィルタ
２４，７３，８２，９３  空気供給通路
２５  インリーク弁
２６  水素濃度センサ
２７  制御装置
５１  貯蔵室
５２  ガス噴射装置
５３  冷却装置
７４  Ｕ字部（抵抗部）
８３  絞り部（抵抗部）
【図１】
2015184198.tif 000003
【図２】
2015184198.tif 000004
【図３】
2015184198.tif 000005
【図４】
2015184198.tif 000006
【図５】
2015184198.tif 000007
【図６】
2015184198.tif 000008
【図７】
2015184198.tif 000009